(57)【要約】本発明は、電子的な金額を送金側の資金記憶装置から受取側の口座ないし資金記憶装置に、ＷＡＰを使用することによりリアルタイムで移動無線ネットワーク及びＩＰネットワークを介して伝送する方法に関する。
2004507000.tif 000002
【特許請求の範囲】
【請求項１】
例えば前払いされた資金を有する送金側の資金記憶装置から受取側の口座ないし資金記憶装置に、リアルタイムで移動無線ネットワーク及びＩＰネットワークを介して、電子的な金額を伝送する方法において、
少なくとも１つの加入者ＩＤと、受取側の口座ないし資金記憶装置の少なくとも１つの口座識別子を包含する受取側レコードとを、トランザクションデータベース及び／又は資金管理データベースに記憶し、
少なくとも、例えば前記受取側によるサービスプロバイダへの送金サービスの申込の枠内で、前記加入者ＩＤを前記トランザクションデータベースに記憶するステップと、
少なくとも１つの加入者ＩＤと、前記資金記憶装置の少なくとも１つの口座識別子と、選択的に、前記送金側の少なくとも１つの認証レコードとを包含する送金側レコードを、前記トランザクションデータベース及び／又は資金管理データベースに記憶するステップと、
移動無線端末機器として構成されている受取側または送金側の端末機器と、サービスプロバイダのトランザクションサーバとの間の移動無線コネクションまたはデータネットワークコネクションを、送金サービスのＩＰネットワークアドレスを使用して確立するステップと、
それぞれの送金相手の加入者ＩＤ及び伝送すべき金額を、前記受取側または前記送金側の端末機器に入力し、移動無線ネットワーク及びＩＰネットワークの共通のプロトコル、例えばＷＡＰによって前記トランザクションサーバに伝送するステップと、
前記トランザクションサーバによって前記受取側レコード及び選択的に前記送金側レコードを前記前記トランザクションデータベースから読み出し、１つまたは複数の外部アプリケーションとの選択的に必要とされるデータコネクションの確立も含め、該受取側レコード及び選択的に該送金側レコードを評価するステップと、
前記送金側資金記憶装置における金額の裏付けを検査し、資金の裏付けがある場合には該金額を予約し、資金の裏付けがない場合には信号通知でもって中断するステップと、
前記送金側資金記憶装置から前記金額を引き落とし、該引落を記録するステップと、
前記金額を前記受取側口座ないし前記受取側資金記憶装置に入金し、該入金を記録するステップと、
前記引落及び／又は前記入金に関する情報を、前記受取側及び／又は前記送金側の端末機器に伝送するステップとを有することを特徴とする、電子的な金額を伝送する方法。
【請求項２】
伝送すべき前記金額を前記ＩＰネットワークアドレスまたは論理名と関連させて入力する、請求項１記載の方法。
【請求項３】
前記トランザクションサーバによって、伝送すべき前記金額の入力を前記送金側及び／又は前記受取側に対して要求を形成し、該要求を前記送金側及び／又は前記受取側に伝送し、前記送金側及び／又は前記受取側の端末機器において出力し、
該要求に反応して前記金額それぞれの端末機器においてを入力する、請求項１記載の方法。
【請求項４】
前記送金サービスの前記ＩＰネットワークアドレスないし前記論理名を、前記受取側及び／又は前記送金側の移動無線端末機器に記憶する、請求項１から３のいずれか１項記載の方法。
【請求項５】
前記送金側レコードにおける認証レコードは、認証コードまたは送金側の生物測定学的なデータを包含し、前記引落を行うステップの前に該引落を認証するステップを実施する、すなわち
前記送金側が前記認証コードまたは前記生物測定学的なデータを前記送金側の端末機器に入力するステップと、
該入力を前記トランザクションサーバに伝送するステップと、
伝送されたデータを前記送金側レコードにおけるデータと比較し、該比較が一致する場合には引落許可信号を出力し、一致しない場合には引落阻止信号を出力するステップとを実施する、請求項１から４のいずれか１項記載の方法。
【請求項６】
例えば前記サービスプロバイダまたは前記送金側によって設定可能な所定の閾値を上回る金額であれば、前記認証を行うステップを実施する、請求項５記載の方法。
【請求項７】
前記認証を行うステップを送金相手の加入者ＩＤを入力する前に既に実施する、請求項５または６記載の方法。
【請求項８】
前記送金側資金記憶装置及び／又は受取側口座ないし受取側資金記憶装置が監視される少なくとも１つの外部サーバとのデータコネクションを確立して実施し、
前記受取側レコードの口座識別子及び／又は前記送金側レコードの口座識別子はサーバアドレスまたはサーバ呼出番号を包含し、前記トランザクションサーバは前記受取側レコード及び前記送金側レコードの読み出し後に、後続の前記ステップを実施するために前記受取側または前記送金側と接続される、ないし前記受取側及び前記送金側と接続される、請求項１から７のいずれか１項記載の方法。
【請求項９】
前記受取側が複数の口座及び／又は加入者ＩＤを用いて前記サービスプロバイダに申込を行い、例えば該口座の数は該加入者ＩＤの数よりも少なく、対応する全ての口座識別子及び加入者ＩＤを前記受取側レコードに記憶する、請求項１から８のいずれか１項記載の方法。
【請求項１０】
例えば請求項１から９のいずれか１項記載の方法を実施する、例えば前払いされた資金を有する送金側の資金記憶装置から受取側の口座ないし資金記憶装置に、リアルタイムで移動無線ネットワーク及びＩＰネットワークを介して、電子的な金額を伝送する装置において、
該装置は、
送金側資金記憶装置及び受取側口座ないし受取側資金記憶装置を備えた、少なくとも１つの口座管理サーバを有し、
遠距離通信ネットワーク及びデータネットワークと接続されている、前記受取側の端末機器を有し、
遠距離通信ネットワーク及びデータネットワークと接続されている、前記送金側の端末機器を有し、
前記受取側の端末機器及び／又は前記送金側の端末機器は移動無線端末機器として構成されており、
または前記移動無線ネットワーク及び前記ＩＰネットワークの共通のプロトコル、例えばＷＡＰを処理するために構成されている移動無線部を有し、
加入者ＩＤ及び／又は前記受取側の口座ないし資金記憶装置の口座識別子を包含する受取側レコードと、加入者ＩＤ及び／又は前記送金側の資金記憶装置の口座識別子及び選択的に認証レコードを包含する送金側レコードとが記憶されている、サービスプロバイダのトランザクションデータベースを有し、
トランザクションサーバを有し、該トランザクションサーバは、前記トランザクションデータベースと接続されており、送金サービスのＩＰネットワークアドレスを介して前記送金側及び前記受取側の端末機器と接続可能であり、並びにデータコネクションを介して１つの口座管理サーバまたは複数の口座管理サーバと接続可能であり、または該１つの口座管理サーバないし該複数の口座管理サーバに組み込まれており、
前記受取側レコード及び前記送金側レコードを前記トランザクションデータベースから、ないし前記１つの口座管理サーバまたは前記複数の口座管理サーバから読み出して評価し、選択的に必要とされる１つまたは複数の外部アプリケーションとのデータコネクションを確立し、送金側資金記憶装置における裏付検査、該送金側資金記憶装置からの引落、並びに前記受取側口座ないし前記受取側資金記憶装置への入金を制御する、ことを特徴とする、電子的な金額を伝送する装置。
【請求項１１】
前記トランザクションデータベース及び前記送金側資金記憶装置及び／又は前記受取側資金記憶装置を前記トランザクションサーバにおいて実現する、請求項１０記載の装置。
【請求項１２】
前記トランザクションサーバは、引落過程及び入金過程を記録する手段、例えばログレコードを有する、請求項１０または１１記載の装置。
【請求項１３】
前記トランザクションサーバには、トランザクションの中断または引落及び／又は入金を、前記送金側の端末機器に例えば前記移動無線ネットワーク及び前記ＩＰネットワークの共通のプロトコル、殊にＷＡＰを介して信号通知する遠隔通信手段が割り当てられている、請求項１０から１２のいずれか１項記載の装置。
【請求項１４】
前記受取側の端末機器はレジ装置またはその他のデータ処理装置に組み込まれている、請求項１０から１３のいずれか１項記載の装置。
【発明の詳細な説明】
【０００１】
本発明は、資金記憶装置から口座ないし他の資金記憶装置に、移動無線ネットワーク及びデータネットワークを介して電子的な金額を伝送するための方法並びに装置に関する。
【０００２】
インターネットは、時が経つにつれ何億人のための通信手段及び情報源として使用されている以外にも、購入源としての意義がますます増してきている。例えばソフトウェア、書籍及び旅行関連商品の売買は今日既にインターネットにおける重要な要素となっているが、広範で多彩なその他の商品及びサービスもインターネットを介してますます提供され、またその代価が支払われている。本来的に確立されいて今日なお一般的に普及されているやり方での、インターネットにおける相応の給付に対する支払いは、個々のトランザクションのためでなくても少なくとも各取引相手に対して、重要なレコードをそれぞれ別個に入力することを要求する。したがってこのような支払方式は、知られたくない個人的なデータを取引相手に見せることになり、それどころかそのデータを永続的に記録させる可能性を与える。
【０００３】
個人的な範囲と同様に業務上の範囲におけるその他の支払過程の処理にとっても、インターネットはその間に非常に重要なものとなった。工業国におけるほぼ全ての銀行は、「電子バンク」として口座管理及び支払過程の電子的な処理を提供している。
【０００４】
それにもかかわらず、日々の生活における支払過程の大部分は、今日なお現金または振込委託または取立委託などの書面による委任または資金カードないしチェックカード（ｃｈｅｃｋ　ｃａｒｄ）によって行われている。特別な領域、例えば移動無線技術の領域では電子的な資金（いわゆるプリペイドカード）も重要になっているが、非常に多くの困難が、通話時間とは異なる商品のための支払手段として広範に導入することを妨害している。
【０００５】
全体的に見て現在の発展状況では、商品またはサービスに対する煩雑な支払方式が非常に多数存在すると認められ、その運用は日々の生活において著しい注意を払わねばならず、また非常に多くの媒体及び入力様式の扱いを要求する。これは面倒であり、それに加え多様なセキュリティ上の危険（データ媒体ないし資金媒体の紛失、口座データないし認証コードの忘却など）に繋がる。
【０００６】
インターネットの他に遠距離通信、例えば移動遠距離通信は今日において技術的且つ経済的に急速に発展している領域であり、また経済的な成長並びに新たな社会的な発展の重要な源となっている。工業国の大部分の人々にとって、移動電話（「携帯電話」）はますます普遍的な通信機器及び情報機器となっており、また商品及びサービスへのアクセスのためにもますます使用されている。この発展も依然として、携帯電話を介して供給される情報、商品及びサービスの確実且つ簡単な支払いに対する不十分な可能性によって妨げられている。
【０００７】
確かに、プリペイドカードを所有しているまたは所有していない携帯電話のユーザにとって、ラストシュリフト方式（Ｌａｓｔｓｃｈｒｉｆｔｖｅｒｆａｈｒｅｎ、日本の口座振替に類似する制度）または資金カード引落によるそれ自体は慣例のやり方で後に処理される支払いを認証できる解決策は存在する。しかしながらこれらの方式、またインターネットにおいてその間定着した支払い処理も、資金カードまたは当座貸越（限度額）を有する当座預金口座に関する購入者の信用評価及び処理権限を前提としている。それに加えこれらの方法には、処理全体の透明性及び信頼性に関して不利に働く時間的なずれ（タイムラグ）が内在する。
【０００８】
したがって本発明の課題は、データネットワークを使用して支払取引を簡単に処理するための方法及び装置を提供することである。
【０００９】
この課題は、方法に関しては請求項１の特徴を有する方法により解決され、装置に関しては請求項１０記載の特徴を有する装置によって解決される。
【００１０】
本発明は、電子的な資金（プリペイド口座ないしプリペイドカード）を基礎として十分に普遍的な支払方式を提供する基本的な着想を包含し、この支払方式はいわゆるＢ２Ｃ（Ｂｕｓｉｎｅｓｓ−２−Ｃｏｎｓｕｍｅｒ、企業対消費者取引）の領域、またＣ２Ｃ（Ｃｏｎｓｕｍｅｒ−２−Ｃｏｎｓｕｍｅｒ、消費者間取引）の領域における支払処理に適用することができ、また実際の商店及び仮想の商店での購入、飲食店及び文化的な設備または現金自動支払機などにおける支払も、個人的な範囲においてある金額を「伝送する」ことも可能にする。本発明はさらに、結合された移動無線ネットワーク及びＩＰネットワーク（特にインターネット）の可能性を使用し、しかも殊にリアルタイム（実時間）で処理するための可能性を使用する着想を包含する。
【００１１】
ここで電子的な資金とは、遠距離通信ネットワークないしデータネットワークを介して支払取引を行うために扱える資金記憶装置の記憶内容であり、記憶装置が実質的に前払いされた資金を有するか、または資金額が後の時点に初めて振替送金されるか否かに実質的に依存しない。以下の説明及び請求項では、ある金額を伝送しようと欲し、（現実または仮想の）商店に購入者として、また飲食業の設備に客として現れるプリペイド資金の所持者は、一般的に「送金側」と称される。日々の生活において大抵は商店または飲食業または文化的な設備などの所有者または経営者である、伝送すべき金額を受け取る者は一般的に「（金銭）受取側」と称される。受取側及び送金側は、それ以外ではアプリケーションであってもよい。
【００１２】
本発明によって提案される装置及び本発明によって提案される方法の核心はＩＰネットワークにおけるトランザクションサーバであり、このトランザクションサーバはプリペイド資金を伝送するために重要なデータが記憶されているトランザクションデータベースにアクセスする。伝送過程は送金側または受取側のトランザクションサーバとのコネクションの確立によって開始され、しかもＩＰネットワークアドレスないしその論理名（ｌｏｇｉｃａｌ　ｎａｍｅ）を使用して開始される。
【００１３】
伝送すべき金額が送金側または受取側でそれぞれの端末機器において入力される。このことは経過の第２段階においても行うことができ、この第２段階では先ずサーバのＩＰネットワークアドレスが入力及びダイヤルされ、送金側または受取側はメニュー案内により金額を入力することが要求される。この要求に基づいて、重要な入力が行われる。
【００１４】
このアプリケーションは有利には受取側による申込（ｓｕｂｓｃｒｉｐｔｉｏｎ）の枠内で使用される。通常の場合受取側は銀行口座を指定し、この銀行口座にプリペイドショッピングアプリケーションの枠内において受取人の資金記憶装置に伝送される代金が最終的に振替送金される。さらにトランザクションの通貨を指定することができる。送金側がこの送金方式のために申込を行う必要は無い。しかしながらセキュリティ上の理由から、有利には所定の認証手段を使用して送金の認証が行われる。これについては以下を参照されたい。
【００１５】
受取側によるサービスの有利な申込も同様に強制的に必要なものではない。もっとも正式な申込無しでは銀行取引を指定することはできないので、電子的な資金記憶装置（「プリペイド口座」）に伝送される金額をさらに振替送金することはできない。しかしながら金額を入力している間に通貨を指定することができるので、アプリケーションは送金側または受取側の国において有効な通貨には制限されない。この構成では、方法は殊に私人間での振替送金（「Ｃ２Ｃ」）に適している。
【００１６】
トランザクションサーバとの１つないし複数のコネクションが確立された後に、必要とされる入力及び出力が行われ、これらは有利にはＷＡＰ（Ｗｉｒｅｌｅｓｓ　Ａｐｐｌｉｃａｔｉｏｎ　Ｐｒｏｔｏｃｏｌ）及び将来的にはＨＴＴＰ（Ｈｙｐｅｒ　Ｔｅｘｔ　Ｔｒａｎｓｆｅｒ　Ｐｒｏｔｏｃｏｌ）または他の将来的な伝送プロトコルに応じて行われる。
【００１７】
上述した申込過程によって、受取側に関するレコードがトランザクションデータベース（「ショッピングデータバンク」）に格納される。受取側の口座は電子的な資金を管理するために適したものである必要があり、ここでは例えば、同様にプリペイド口座とすることができる。受取側は複数の加入者ＩＤ、また送金用の複数の目的口座を使用することができ、この場合にはもちろん使用される全ての加入者ＩＤ及び全ての口座の口座識別子がショッピングデータバンクに格納されている必要がある。「口座識別子」の概念は以下では、口座番号ないし口座コード、口座が管理される外部サーバの場合によっては必要とされるサーバアドレスからなるもの全てと解する。言及したデータの他に、トランザクションデータベースに記憶される受取側レコードは好適には氏名ないし会社名を包含する。
【００１８】
受取側に関する情報の他に、ショッピングデータバンクは有利には、送金を実施するために必要な送金側に関する情報も有する。この送金側レコードは好適には、送金側のプリペイド口座の口座番号、また必要に応じて、プリペイド資金が監視される外部サーバのサーバアドレス（これもまた以下では時折「口座識別子」と称される）、有利にはサーバ名及び経営者名、最後に、少なくとも選択的に必要に応じて行われる比較的大きな額の送金を認証するための認証レコードも有する。このレコードのための「アドレス」ないし「鍵」として、送金側の加入者ＩＤが使用される。
【００１９】
送金側レコードを別個のプリペイドデータベースにも格納することができる。
【００２０】
実質的なセキュリティ上の要素は、送金側レコードにおける既に言及した認証レコードである。この認証レコードは例えば認証コード（ＰＩＮなど）及び／又は送金側の生物測定学的なデータ（例えば乳頭線パターン（ｐａｐｉｌｌａｒｙ　Ｐａｔｔｅｒｎ）または網膜パターン）を包含し、これらのコードないしこれらのデータは、場合によっては行われる送金の認証に使用される。これらのコードないしこれらのデータは送金側の端末機器またはこれに対応する入力機器において入力され、トランザクションサーバに伝送され、このトランザクションサーバにおいては格納されている相応のデータと比較される。比較の結果によってトランザクションが許可または阻止される。
【００２１】
言及した認証ステップは、方法の有利な実行においては金額が少ない場合には実施されずに、所定の閾値を上回った金額の場合にのみ実施される。この閾値は有利にはサービスプロバイダまたは送金側自身が設定ないし変更することができる。
【００２２】
他方では、トランザクションサーバの呼出者としての送金側によって、処理の開始時に認証を行うことができ、すなわち受取側の加入者ＩＤを入力する前に既に行うことができる。
【００２３】
本発明により提案される解決手段は機能ブロック、（１）送金方法の開始、（２）送金側のもとでの引落、（３）受取側のもとでの入金を含む。これらの機能ブロックを１つのサーバ及び同一のサーバまたは異なるサーバにおいて実行することができ、このサーバないしこれらのサーバが要するに「トランザクションサーバ」である。この１つまたは複数のサーバは、中央でサービスプロバイダのもとに存在することができるか、またはこのサービスプロバイダまたは複数のサービスプロバイダのもとでの複数のハードウェアで実現することができる。プリペイドショッピングアプリケーションは、既述のように、「ショッピングデータバンク」へのアクセスであり、このショッピングデータバンクは（具体的なネットワークのコンセプト及びアプリケーションのコンセプトに応じて）同様に中央で一箇所に存在することができるか、複数の個所に分割され存在することができるか、または異なる個所の複数のコピーにおいても存在することができる。
【００２４】
本発明による方法及び装置は、送金側のプリペイド資金、受取側の目的口座及びプリペイドショッピングアプリケーション自体が１つのサービスプロバイダ及び同一のサービスプロバイダのもとで監視ないし操作される場合には、最も簡単に構成することができる。そうでない場合には、送金に関する決済（そのような公知の決済）が行われなければならない。この過程のために、引落及び入金過程の際に作成された記録文書、例えばいわゆるログレコードを使用することができる。
【００２５】
提案される方法ではリアルタイム方式として、公知の支払処理方式と比べ改善された透明性及び信頼性が提供され、例えば信用貸しが許可されない人物にも使用することができる。ユーザは、行われる送金にとって十分な資金の裏付けを保証する、前払いされた資金を持ってさえいればよい。
【００２６】
本発明により提案される体系はそれに加え以下の重要な利点を提供する。すなわち、プリペイド口座上の電子マネーを単に固有のサービス（特に通話料）の支払のためだけではなく、多様なやり方であらゆる種類の現実及び仮想の販売施設での商品、サービス、情報などの支払にも使用することができる。資金の前払いに関してユーザは厳格な費用審査（ｃｏｓｔ　ｃｏｎｔｒｏｌ）を受け、故意でない帰責自由は原則的に排除されている。したがってこの方法は殊に有利には、これまで同等のアプリケーションが存在しなかった未成年者（または精神的な能力をもはや完全には有していない老人）に対して使用することができる。異なる提供者の商品またはサービスの支払のために、もはや複数のプリペイドカードまたはプリペイド端末機器は必要とされず、ただ１つのサーバ番号を記憶することだけが必要とされる。
【００２７】
本発明の利点及び実用性は、その他の点では従属請求項ならびに図面に基づいた有利な実施例の以下の説明から生じる。ここで図１は、本発明による装置の第１の実施形態の非常に簡略化された機能ブロック図である。図２は、第２の実施形態の非常に簡略化された機能ブロック図である。図３Ａ及び図３Ｂは、図１による装置において提案されるアプリケーションの重要なステップを概略的に示している。図４Ａ及び図４Ｂは、図２による装置において提案されるアプリケーションの重要なステップを概略的に示している。
【００２８】
これらの図面はその表記に基づき実質的に説明されているので、以下では詳細には図面を説明しない。
【００２９】
図１及び図２はそれぞれ、プリペイドショッピングアプリケーション及びこのプリペイドショッピングアプリケーションによって運用される種々のサーバ上のプリペイド口座が管理される場合を示す。図３及び図４は、トランザクションサーバＷＡＰサーバが受取側の（包括的な処理装置に組み込まれている）端末機器によって問い合わせられる場合、ないし送金側によってトランザクションサーバにおいて問い合わせられる場合を示す。
【００３０】
送金過程は、トランザクションサーバＷＡＰサーバへの送金側ないし受取側の問合せによって開始される。ここでサーバ呼出番号に続けて、星（＊）によってこの呼出番号と区切られている、伝送すべき金額が関連する通貨で非構造的な数字列として、送金側ないし受取側の端末機器に入力される。このために例えばこの端末機器のキーボードが使用される。値段の入力がコネクションの開始と無関係に行われている場合には、プリペイドショッピングアプリケーションはＷＭＬフォーマットでテキストメッセージを作成し、このテキストメッセージによって呼出者に値段の入力が要求される。これに基づき呼出者は、例えばこのために設けられたＷＡＰページのフィールドにおいて値段を入力する。
【００３１】
トランザクションサーバにおけるプリペイドショッピングアプリケーションは、送金のために必要とされるデータ（受取側及び送金側の呼出番号及び金額）を相応のサーバにおけるプリペイドアプリケーションに送る。この相応のサーバは、トランザクションサーバ自体または同一の経営者の少なくとも１つのサーバまたは他の経営者の少なくとも１つのサーバであってよい。アプリケーションを、異なるサーバの基礎に分散させて実行することもできる。
【００３２】
データが伝送されると、これにより送金方法が開始され、先ずデータ媒体が有効であるか、また送金側のプリペイド口座の額が予定される伝送過程のために十分なものであるか否かを考慮して検査過程が行われる。両方とも肯定である場合には、（遅くともこの時点に）伝送すべき金額の引落をＰＩＮの入力により認証することが送金側に要求される。
【００３３】
検査過程では、プリペイドショッピングアプリケーションがショッピングデータバンクにアクセスし、受取側レコード及び送金側レコードを、これらのレコードに包含されている、どのサーバないしどの複数のサーバ（及びどの経営者ないしどの複数の経営者）に受取側及び送金側の口座があるかという情報と共に読み出す。送金側のサーバが識別され、このサーバがプリペイドショッピングアプリケーションが実行されるサーバとは異なる場合には、この外部サーバにおいて実行されるプリペイドショッピングアプリケーションとのリアルタイムコネクションが確立される。
【００３４】
送金側のサーバにおけるプリペイドショッピングアプリケーションには、送金側のプリペイド口座における電子的な資金が予定される送金のために十分であるか否かについてを検査する要求が伝送される。十分でない場合には、ＷＡＰフォーマットでの相応の指示を受取側の端末機器に伝送することが中断される。伝送すべき金額が裏付けされている場合には、この金額が送金側のプリペイド口座において予約される。
【００３５】
引き続き、既述の認証を送金側によるＰＩＮの入力により行う。入力されたＰＩＮは、送金側レコードに格納されているＰＩＮと比較される。このＰＩＮが有効であれば、引落過程が開始される。ＰＩＮが無効である場合にはこの局面でのトランザクションは中断され、再び相応の指示信号が伝送される。
【００３６】
伝送すべき金額が送金側のプリペイド口座から引き落とされる。この過程は時間的に重要であり、リアルタイムで行われる。送金側のプリペイド口座がプリペイドショッピングアプリケーションのサーバと同じサーバにある場合には、資金を即座に（リアルタイムで）伝送すべき金額だけ減らすことができる。口座が外部サーバにある場合には、その外部サーバでのプリペイドショッピングアプリケーションに対して引落要求を行わなければならず、引落がそこでのアプリケーションの体系のもとで行われる。それぞれの場合、引落過程に関してログレコードが作成され、受取側及び／又は送金側にはレジシステムを介してまたは呼出により、またはＳＭＳにより、または移動電話などのディスプレイ上の相応のＷＡＰページによって引落の実施に関して情報が付与される。
【００３７】
伝送すべき金額の受取側の口座への入金が行われ、この口座はプリペイド口座、リアルタイム口座または通常の銀行当座預金口座とすることができる。この過程は時間的に重要ではないが、非常に高い信頼度でもって行われなければならない。ここでもまた、口座が外部サーバにおいて開設されているか否かに応じて、引落のための既述の変形は異なっていなければならない。入金過程に対してもログレコードが作成される。
【００３８】
本発明の実施は言及した実施例、変形及び見解に制限されるのではなく、請求項の枠内、同様に当業者が行える枠内にある複数の変形において可能である。例えば上述したステップを異なる順序で行うことも可能である。
【図面の簡単な説明】
【図１】
本発明による装置の第１の実施形態の非常に簡略化された機能ブロック図である。
【図２】
第２の実施形態の非常に簡略化された機能ブロック図である。
【図３Ａ】
図１による装置において提案されるアプリケーションの重要なステップを概略的に示している。
【図３Ｂ】
図１による装置において提案されるアプリケーションの重要なステップを概略的に示している。
【図４Ａ】
図２による装置において提案されるアプリケーションの重要なステップを概略的に示している。
【図４Ｂ】
図２による装置において提案されるアプリケーションの重要なステップを概略的に示している。
【図１】
2004507000.tif 000003
【図２】
2004507000.tif 000004
【図３Ａ】
2004507000.tif 000005
【図３Ｂ】
2004507000.tif 000006
【図４Ａ】
2004507000.tif 000007
【図４Ｂ】
2004507000.tif 000008
【国際公開パンフレット】
2004507000.tif 000009
2004507000.tif 000010
2004507000.tif 000011
2004507000.tif 000012
2004507000.tif 000013
2004507000.tif 000014
2004507000.tif 000015
2004507000.tif 000016
2004507000.tif 000017
2004507000.tif 000018
2004507000.tif 000019
2004507000.tif 000020
2004507000.tif 000021
2004507000.tif 000022
2004507000.tif 000023
2004507000.tif 000024
2004507000.tif 000025
2004507000.tif 000026
2004507000.tif 000027
2004507000.tif 000028
2004507000.tif 000029
2004507000.tif 000030
2004507000.tif 000031
2004507000.tif 000032
【国際調査報告】
2004507000.tif 000033
2004507000.tif 000034
2004507000.tif 000035
2004507000.tif 000036
2004507000.tif 000037
2004507000.tif 000038